(57)【特許請求の範囲】
【請求項１】
一又は複数種類の電子部品を有する回路基板と、
該回路基板を収容するケース体とを備えた
遊技機において、
前記回路基板は
板厚方向に貫通又は凹入する収容部と、
少なくとも一部分が前記収容部内に位置する状態で前記回路基板の第１面側に一列状に装着された複数の前記電子部品とを備え、
前記ケース体は
前記複数の電子部品間に対応して配置された支持部を有し且つ前記回路基板を支持する基板支持手段を備えた
ことを特徴とする遊技機。
【発明の詳細な説明】
【技術分野】
【０００１】
本発明は、パチンコ機、アレンジボール機等の遊技機に関するものである。
【背景技術】
【０００２】
パチンコ機等の遊技機では、磁気、電波等を利用して遊技機外から行われる不正行為に対処するべく、磁気センサ、電波センサ等の各種センサが搭載されている（例えば特許文献１参照）。これらのセンサは不正行為のターゲットとなる箇所の近くに配置することが有効であり、例えばパチンコ機では遊技盤上の入賞装置等に装着される場合が多い。
【先行技術文献】
【特許文献】
【０００３】
【特許文献１】特開２０１３−１４６３９４号公報
【発明の概要】
【発明が解決しようとする課題】
【０００４】
近年、遊技機に搭載される遊技部品の大型化、複雑化が顕著であるため、限られた部品配置スペースをなるべく圧迫しないよう、特にセンサ等の既存部品についてはより小型化、薄型化することが望まれている。
【０００５】
本発明は上記事情に鑑みてなされたものであり、回路基板により構成される部品の更なる薄型化により、限られた部品配置スペースをより有効に活用することが可能な遊技機を提供することを目的とする。
【課題を解決するための手段】
【０００６】
本発明は、一又は複数種類の電子部品を有する回路基板と、該回路基板を収容するケース体とを備えた遊技機において、前記回路基板は板厚方向に貫通又は凹入する収容部と、少なくとも一部分が前記収容部内に位置する状態で前記回路基板の第１面側に一列状に装着された複数の前記電子部品とを備え、前記ケース体は前記複数の電子部品間に対応して配置された支持部を有し且つ前記回路基板を支持する基板支持手段を備えたものである。
【発明の効果】
【００１１】
本発明によれば、回路基板により構成される部品の更なる薄型化が可能となり、限られた部品配置スペースをより有効に活用することができる。
【図面の簡単な説明】
【００１２】
【図１】本発明の第１の実施形態に係るパチンコ機の全体斜視図である。
【図２】同パチンコ機の分解斜視図である。
【図３】同パチンコ機の遊技盤の正面図である。
【図４】同パチンコ機の遊技盤の要部分解斜視図である。
【図５】同パチンコ機の始動入賞ユニットの分解斜視図である。
【図６】同パチンコ機の始動入賞ユニットを構成する後装着体の分解斜視図である。
【図７】同パチンコ機の遊技盤の要部正面図である。
【図８】同パチンコ機の始動入賞ユニットの正面断面図である。
【図９】同パチンコ機の遊技盤の要部側面断面図である。
【図１０】同パチンコ機の要部平面断面図である。
【図１１】同パチンコ機の磁気センサの斜視図である。
【図１２】同パチンコ機の磁気センサの分解斜視図である。
【図１３】同パチンコ機の磁気センサの平面図である。
【図１４】同パチンコ機の磁気センサの正面図である。
【図１５】同パチンコ機の磁気センサの正面断面図である。
【図１６】同パチンコ機の磁気センサの平面断面図である。
【図１７】同パチンコ機の磁気センサの側面断面図である。
【図１８】本発明の第２の実施形態に係るパチンコ機の遊技盤の正面図である。
【図１９】同パチンコ機の始動入賞ユニットの斜視図である。
【図２０】同パチンコ機の始動入賞ユニットの分解斜視図である。
【図２１】同パチンコ機の遊技盤の要部正面断面図である。
【図２２】同パチンコ機の遊技盤の要部背面断面図である。
【図２３】同パチンコ機の要部側面断面図である。
【図２４】本発明の第３の実施形態に係るパチンコ機の遊技盤の正面図である。
【図２５】同パチンコ機の遊技盤の要部正面断面図である。
【図２６】同パチンコ機の遊技盤の要部背面断面図である。
【図２７】同パチンコ機の第２大入賞ユニットの斜視図である。
【図２８】同パチンコ機の遊技盤の要部側面断面図である。
【図２９】本発明の第４の実施形態に係るパチンコ機の全体正面図である。
【図３０】同パチンコ機の要部側面断面図である。
【発明を実施するための形態】
【００１３】
以下、本発明の実施形態を図面に基づいて詳述する。図１〜図１７は本発明をパチンコ機に採用した第１の実施形態を例示している。図１及び図２において、遊技機本体１は、矩形状の外枠２と、この外枠２の前面側に着脱及び開閉自在に枢着された内枠３とを備えている。
【００１４】
外枠２はその下端部前側に左右方向の下部前面板４を有し、この下部前面板４の上側に内枠３が配置されている。内枠３は例えば合成樹脂製で、図２に示すように、外枠２の前面側に当接する矩形状の外周枠５と、この外周枠５の内側上部に設けられた遊技盤装着枠６と、この遊技盤装着枠６の下側で外周枠５の内側下部に設けられた下セット板７とを一体に備え、外周枠５の左右一端側（ここでは左端側）が例えば上下一対のヒンジ手段８により外枠２に着脱及び開閉自在に枢着されている。また、内枠３は施錠手段９により外枠２に対して閉状態でロックされ、所定回転方向へのキー操作によりそのロックを解除可能となっている。
【００１５】
下セット板７には、例えばその左右方向略中央に発射手段１０が、その発射手段１０の右側に下部スピーカ１１が配置されている。また、遊技盤装着枠６には例えば前側から遊技盤１２が着脱自在に装着されている。
【００１６】
内枠３の前側には、遊技盤１２の前側に対応するガラス扉１３と、下セット板７の前側に対応する下部扉１４とが上下に隣接して配置され、内枠３用のヒンジ手段８と同一側（ここでは左端側）に配置されたヒンジ手段１５，１６により夫々内枠３に対して着脱及び開閉自在に枢着されている。なお、ガラス扉１３と下部扉１４とを一体的に開閉可能な構成としてもよい。
【００１７】
ガラス扉１３は遊技盤１２の前側を覆う正面視略矩形状で、遊技盤１２の遊技領域１２ａに対応する窓孔１７ａを有し且つその左右方向一端側がヒンジ手段１５により支持される板金製の扉枠１７と、その扉枠１７の前側に窓孔１７ａを取り囲むように装着された合成樹脂製の化粧カバー１８と、窓孔１７ａを略塞ぐように扉枠１７の裏側に着脱自在に装着されたガラスユニット１９とを備え、閉状態のときに扉枠１７の外縁側が内枠３の外周枠５の前側に略当接し、ガラスユニット１９が遊技領域１２ａを前側から略閉鎖するようになっている。
【００１８】
ガラスユニット１９は、所定の隙間を空けて互いに平行に配置された前後一対のガラス板２１，２１と、それら一対のガラス板２１，２１をその外周側で連結・一体化する合成樹脂製の連結枠２２とで構成されている。また、ガラス扉１３は施錠手段９により内枠３に対して閉状態でロックされ、例えば内枠３の外枠２に対する解錠時とは異なる回転方向へのキー操作によりそのロックを解除可能となっている。
【００１９】
下部扉１４は、下セット板７の前側を覆う正面視横長矩形状に形成され且つその左右方向一端側（ここでは左端側）がヒンジ手段１６により支持される台板２３と、この台板２３の前側上部に配置され且つ発射手段１０に供給するための遊技球を貯留する上貯留皿２４と、台板２３の前側下部に配置され且つ例えば上貯留皿２４が満杯のときの余剰球を貯留する下貯留皿２５と、台板２３の例えば右端側に前向き突出状に設けられ且つ発射手段１０を作動させるための発射ハンドル２６と、台板２３、上貯留皿２４、下貯留皿２５等を前側から覆う化粧カバー２７と、台板２３の裏側に配置され且つ発射手段１０の発射動作に連動して上貯留皿２４からの遊技球を１個ずつ発射手段１０へと供給する球送り手段２８とを備えている。
【００２０】
遊技盤１２は例えばベニヤ、ポリカーボネート等の板材により構成されており、その前面側には、図３に示すように遊技領域１２ａを取り囲むガイドレール３１が設けられている。このガイドレール３１は、例えば３つの第１〜第３レール部材３２〜３４等により形成されている。第１レール部材３２は例えば金属製で、遊技盤１２の下部左側から左縁部略中央、上縁部略中央を経て右上部まで正面視略円弧状に配置され、遊技盤１２の前面側に略一定幅で立設されている。第２レール部材３３も例えば金属製で、遊技盤１２の左上部から左下部にかけて第１レール部材３２と並行するようにその内側に略円弧状に配置され、遊技盤１２の前面側に略一定幅で立設されている。これら第１レール部材３２と第２レール部材３３とで挟まれた部分が、発射手段１０によって発射された遊技球を遊技領域１２ａに案内する発射案内通路３５となっている。
【００２１】
第３レール部材３４は例えば合成樹脂製で、図３，図４等に示すように、第１レール部材３２の右上部側端部と第２レール部材３３の左下部側端部とを接続するように、遊技盤１２の右縁部と下縁部とに沿う正面視略Ｌ字状で且つ前後方向略一定幅に形成され、遊技盤１２の前面側に着脱自在に装着されている。なお、この第３レール部材３４の内側面３４ａがガイドレール３１の一部を構成している。
【００２２】
また、第３レール部材３４には、遊技領域１２ａの最下流部、例えば遊技盤１２の左右方向略中央における下部側に対応してアウト口部材３６が例えば一体に設けられている。このアウト口部材３６は、アウト口３７を構成するもので、入賞手段に入賞することなく遊技領域１２ａの最下流部まで流下してきた遊技球（アウト球）はこのアウト口３７を経て遊技盤１２の後側に排出されるようになっている。
【００２３】
遊技盤１２の遊技領域１２ａ内には、多数の遊技釘（図示省略）が配置される他、図３に示すように、中央表示ユニット４１、始動入賞ユニット４２、大入賞ユニット４３、普通入賞ユニット４４等の各種ユニット部品が、遊技盤１２に形成された板厚方向貫通状の装着孔４１ａ〜４４ａ（図４参照）に夫々着脱自在に装着されている。また、それら複数のユニット部品４１〜４４に、普通図柄表示手段４５、普通保留個数表示手段４６、第１特別図柄表示手段４７、第２特別図柄表示手段４８等の各種表示手段の他、普通図柄始動手段４９、第１特別図柄始動手段５０、第２特別図柄始動手段５１、大入賞手段５２、複数の普通入賞手段５３等が設けられている。
【００２４】
中央表示ユニット４１は、液晶表示手段等よりなる画像表示手段５４の表示枠を構成するもので、例えば遊技領域１２ａの左右方向略中央における上部側に配置されており、例えば遊技盤１２の裏側に装着される画像表示手段５４に対応して装着孔４１ａに前側から装着されている。なお、画像表示手段５４は、演出図柄表示手段５５、第１特別保留個数表示手段５６、第２特別保留個数表示手段５７等を構成している。
【００２５】
普通図柄表示手段４５は、例えば「○」「×」の２種類の普通図柄に対応する２個の発光体（例えばＬＥＤ）により構成され、中央表示ユニット４１の前側等に配置されており、通過ゲート等よりなる普通図柄始動手段４９が遊技球を検出することを条件にそれら２つの発光体が所定時間交互に点滅して、普通図柄始動手段４９による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。なお、普通図柄始動手段４９は、例えば中央表示ユニット４１の右側下部に配置されている。
【００２６】
また、普通図柄表示手段４５の変動表示中、又は後述する普通利益状態中に普通図柄始動手段４９が遊技球を検出した場合には、その検出時に取得した当たり判定乱数値等よりなる乱数情報を予め定められた上限保留個数、例えば４個を限度として記憶すると共に、例えば上限保留個数と同数の発光体よりなる普通保留個数表示手段４６がその発光個数により乱数情報の記憶個数（以下、普通保留個数）を表示して、その時点での普通保留個数を遊技者に報知するようになっている。なお、普通保留個数表示手段４６は例えば中央表示ユニット４１の前側に配置されている。
【００２７】
また、中央表示ユニット４１には、左右一側、例えば左側にワープ入口５８が設けられ、また前側下部に、ワープ入口５８に入球した遊技球を自由に転動させて左右方向中央の中央落下部５９又はその側方から落下させるステージ６０が設けられている。
【００２８】
中央表示ユニット４１の下側には、遊技領域１２ａの左右方向略中央に始動入賞ユニット４２が、右側に大入賞ユニット４３が、左側に普通入賞ユニット４４が夫々配置されている。そして、第１特別図柄始動手段５０と第２特別図柄始動手段５１とが始動入賞ユニット４２に、大入賞手段５２が大入賞ユニット４３に、複数（ここでは３つ）の普通入賞手段５３が普通入賞ユニット４４に夫々設けられている。
【００２９】
第１特別図柄始動手段５０は、第１特別図柄表示手段４７による図柄変動を開始させるためのもので、例えば開閉手段を有しない非開閉式の入賞手段により構成されている。第２特別図柄始動手段５１は、第２特別図柄表示手段４８による図柄変動を開始させるためのもので、例えば開閉部材６１の作動によって遊技球が入賞可能な開状態と入賞不可能（又は開状態よりも入賞困難）な閉状態とに変化可能な開閉式入賞手段により構成されており、普通図柄表示手段４５の変動後の停止図柄が当たり態様となった場合に、開閉部材６１が所定時間閉状態から開状態に変化するようになっている（普通利益状態）。
【００３０】
第１特別図柄表示手段４７と第２特別図柄表示手段４８とは、それぞれ１個又は複数個、例えば各１個の第１，第２特別図柄を変動表示可能な７セグメント式等の表示手段により構成され、例えば中央表示ユニット４１の前側に配置されている。そして、第１特別図柄表示手段４７は第１特別図柄始動手段５０に遊技球が入賞することを条件に、また第２特別図柄表示手段４８は第２特別図柄始動手段５１に遊技球が入賞することを条件に、夫々第１，第２特別図柄を所定時間変動表示して、それら第１，第２特別図柄始動手段５０，５１への遊技球入賞時に取得された大当たり判定乱数値が予め定められた大当たり判定値と一致する場合には所定の大当たり態様で、それ以外の場合には外れ態様で夫々停止するようになっている。
【００３１】
また、第１，第２特別図柄の変動表示中、又は後述する特別利益状態中に第１，第２特別図柄始動手段５０，５１に遊技球が入賞した場合には、その入賞時に取得した大当たり判定乱数値等よりなる乱数情報を予め定められた上限保留個数、例えば各４個を限度として記憶すると共に、第１，第２特別保留個数表示手段５６，５７が夫々乱数情報の記憶個数（以下、第１，第２特別保留個数という）を表示して、その時点での第１，第２特別保留個数を遊技者に報知するようになっている。
【００３２】
また、第１，第２特別図柄の変動中は、画像表示手段５４上の演出図柄表示手段５５によって演出図柄が変動表示されるようになっている。演出図柄表示手段５５は、１個又は複数個、例えば左右方向に３個の演出図柄を例えば各種の演出画像と共に変動表示可能に構成されており、第１，第２特別図柄の変動開始と同時に所定の変動パターンに従って演出図柄の変動を開始すると共に、例えば第１，第２特別図柄の変動停止と同時に最終停止するよう、演出図柄を左、右、中等の所定の順序で停止させるようになっている。
【００３３】
大入賞手段５２は、開閉部材６２の作動によって遊技球が入賞可能な開状態と入賞不可能な閉状態とに変化可能な開閉式入賞手段により構成され、例えば第１，第２特別図柄始動手段５０，５１よりも上流側で且つ普通図柄始動手段４９よりも下流側に配置されており、第１，第２特別図柄表示手段４７，４８の何れかの変動後の停止図柄が大当たり態様となった場合に所定の開放パターンに従って開放するようになっている（特別利益状態）。
【００３４】
続いて、図３〜図１０等を参照しつつ、始動入賞ユニット４２及びアウト口部材３６の構成について詳細に説明する。始動入賞ユニット（入球装置）４２とアウト口部材３６とは、互いに上下に近接（又は当接）した状態で一つの装着孔（装着部）４２ａに装着されている。即ち装着孔４２ａは、図４，図７等に示すように互いに連通する上側の第１装着部６３と下側の第２装着部６４とで構成されており、上側の第１装着部６３に始動入賞ユニット４２が、下側の第２装着部６４にアウト口部材３６が夫々装着されている。なお、第１装着部６３の下端部は、第１装着部６３の上部側及び第２装着部６４よりも幅広に形成されている。
【００３５】
アウト口部材３６は、図４，図５，図９等に示すように、アウト口前面板６５とアウト口周壁部６６とを一体に備えている。アウト口前面板６５は、遊技盤１２の前面に沿う板状で、装着孔４２ａの第２装着部６４に対応してその前側を略覆うように配置され、第３レール部材３４の内側面３４ａにおける後縁側から上向きに突設されている。このアウト口前面板６５には、ガイドレール３１（内側面３４ａ）の上側に沿って例えば正面視横長略矩形状のアウト口３７が形成されている。
【００３６】
アウト口周壁部６６は、アウト口３７の縁部の少なくとも一部、例えば上縁部及び左右の側縁部に沿ってアウト口前面板６５から後向きに突設され、装着孔４２ａの第２装着部６４内に前側から挿入されている。なお、第３レール部材３４の内側面３４ａには、アウト口３７の前側に対応して、遊技球を後向きに案内する案内傾斜部６７が形成されている。
【００３７】
始動入賞ユニット（入球装置）４２は、図４，図５，図９，図１０等に示すように、装着孔４２ａの第１装着部６３に対して前側から装着される前装着体７１と、同じく第１装着部６３に対して後側から装着される後装着体７２とで構成されている。
【００３８】
前装着体７１は、図４，図５等に示すように、遊技盤１２の前面に沿う板状の前面部材７３と、第１特別図柄始動手段５０を構成する第１始動入賞口７４と、第２特別図柄始動手段（入球手段）５１を構成する第２始動入賞口（入球口）７５と、この第２始動入賞口７５に遊技球を案内する入賞案内手段７６とを備えている。
【００３９】
前面部材７３は、装着孔４２ａの第１装着部６３の形状に対応して例えば正面視逆Ｔ字状に形成され、その外縁側を第１装着部６３の外側で遊技盤１２の前面に当接させた状態でネジ止め等により遊技盤１２に着脱自在に固定されており、その前面側には任意の装飾が施されている。なお、遊技盤１２の前面側には、第１装着部６３の周辺部に複数の位置決め凹部７０が設けられており、前面部材７３は、その背面側に設けられた複数の位置決め凸部７０ａを位置決め凹部７０に夫々嵌合させることによって遊技盤１２の所定位置に位置決めされている。
【００４０】
第１始動入賞口７４は、前面部材７３の前側に突出する樋状に形成され、例えば前面部材７３の上端部に配置されており、入賞した遊技球を後向きに案内する入賞球案内部７４ａを備えている。第２始動入賞口７５は、前面部材７３に形成された例えば正面視略正方形の開口で、第１始動入賞口７４の下側近傍に配置されている。入賞案内手段７６は、前面部材７３の前側に突出する突起状に形成され、例えば第２始動入賞口７５の左右両側に配置されており、その上面は遊技球を左右方向の内側、即ち第２始動入賞口７５の前側に案内する傾斜面７６ａとなっている。
【００４１】
また前面部材７３の背面側には、図５等に示すように、後装着体７２を位置決めするための複数、例えば３組の前位置決め部７７ａ〜７７ｃが設けられている。前位置決め部７７ａは第２始動入賞口７５の上部側左右に、前位置決め部７７ｂは第２始動入賞口７５の下部側左右に夫々配置され、例えば後向きに突出する円形突起状に形成されている。前位置決め部７７ｃは、前面部材７３の下端部における左右両端側に配置されており、互いに対向する正面視略コの字型に形成された後向きの突起状に形成されている。
【００４２】
後装着体７２は、図５〜図１０等に示すように、遊技盤１２の背面側に装着される後部ケース７８と、この後部ケース７８の前側に例えば一体に形成され且つ装着孔４２ａの第１装着部６３内に後側から挿入される装着孔挿入部７９と、後部ケース７８の前側に例えば着脱自在に装着され且つ装着孔挿入部７９と共に装着孔４２ａの第１装着部６３内に挿入される着脱ホルダ部材８０とを備えている。
【００４３】
装着孔挿入部７９は、図６，図７，図９等に示すように、第１始動入賞口７４に入賞した遊技球を遊技盤１２の後側に案内する第１入賞案内通路８１と、第２始動入賞口７５に入賞した遊技球を遊技盤１２の後側に案内する第２入賞案内通路８２と、前位置決め部７７ａに対応する後位置決め部８３ａとを備え、後部ケース７８の前側に突設されている。
【００４４】
第１入賞案内通路８１と第２入賞案内通路８２とは上下に隣接して配置され、共に後ろ下がりの傾斜状に形成されている。また、第２入賞案内通路８２の前端部には、第２始動入賞口（入球口）７５を開閉する開閉部材（開閉手段）６１が配置されている。開閉部材６１は、第２始動入賞口７５に対応する正面視略正方形の板状で、その下端部左右に回転軸６１ａが突設され、また開閉駆動手段９０からの駆動力を受けるための駆動受け部６１ｂが回転軸６１ａに対して例えば後向きに突設されており（図６，図９参照）、第２入賞案内通路８２の下側に設けられた軸受部８２ａに回転軸６１ａを前側から嵌め込んだ状態で揺動自在に支持されている。
【００４５】
後位置決め部８３ａは、例えば第２入賞案内通路８２の上部側左右に配置され、前装着体７１側の前位置決め部７７ａが前側から嵌合可能な例えば円筒状に形成されている。前装着体７１側の前位置決め部７７ａに後位置決め部８３ａを嵌合させることにより、後装着体７２は前装着体７１に対して位置決めされる。
【００４６】
着脱ホルダ部材８０は、図５〜図７，図９，図１０に示すように、磁気センサ８４を支持する磁気センサ支持部（センサ支持部）８５と、開閉部材６１の回転軸６１ａを軸受部８２ａ内に保持するための軸押さえ部８６と、前位置決め部７７ｂに対応する後位置決め部８３ｂとを一体に備え、例えば後部ケース７８の前側に突設された固定基部８７に対してネジ止め等により着脱自在に固定されている。
【００４７】
磁気センサ８４は、例えば細長扁平状で、図５〜図７，図９，図１０等に示すように長手方向一端側が直角方向に突出した平面視略Ｌ字型に形成され、その突出部８４ａにコネクタ８８が設けられており、例えば突出部８４ａが左側後向きとなるように左右方向に沿って略水平に支持されている。なお、この磁気センサ８４の詳細については後述する。
【００４８】
磁気センサ支持部８５は、後部ケース７８の下端部に対応して左右に配置され、例えば互いに対向する正面視略コの字型のレール状に形成されており、磁気センサ８４の左右両端側の縁部を前後方向摺動可能に支持している。また磁気センサ支持部８５の前端側には、磁気センサ８４の前向き移動を規制する前規制部８９ａが設けられ、更に後部ケース７８側には、磁気センサ支持部８５に保持された磁気センサ８４の後向き移動を規制する後規制部８９ｂが設けられている。
【００４９】
磁気センサ８４は、着脱ホルダ部材８０が後部ケース７８に装着される前に磁気センサ支持部８５に対して後側から装着される。そして、着脱ホルダ部材８０が後部ケース７８に装着されたとき、磁気センサ８４は前規制部８９ａと後規制部８９ｂとで前後方向の移動が規制されて後部ケース７８の前側所定位置に支持され（図９，図１０参照）、また開閉部材６１は軸受部８２ａ内の回転軸６１ａが軸押さえ部８６によって前側から規制されることにより揺動自在に保持される（図７参照）。なお、着脱ホルダ部材８０が後部ケース７８に装着されたとき、磁気センサ８４は例えばその前縁側が着脱ホルダ部材８０の前面と略面一となる。
【００５０】
後部ケース７８は、例えば遊技盤１２の板厚と同程度の前後方向幅で、第１装着部６３を後側から略塞ぐ大きさ及び形状の略箱形に形成されており、図８〜図１０等に示すように、第１始動入賞口７４に入賞した遊技球を遊技盤１２の後側で下向きに排出する第１排出案内通路９１と、第２始動入賞口７５に入賞した遊技球を遊技盤１２の後側で下向きに排出する第２排出案内通路９２と、第１始動入賞口７４に入賞した遊技球を検出する第１入賞検出手段９３を保持する第１検出保持手段９３ａと、第２始動入賞口（入球口）７５に入賞した遊技球を検出する第２入賞検出手段（遊技球検出手段）９４を保持する第２検出保持手段９４ａと、開閉駆動手段９０を収容・保持する駆動収容手段９５と、電波センサ９６を保持する電波センサ保持手段９６ａとを備えている。
【００５１】
第２排出案内通路９２は、図８，図９等に示すように第２入賞案内通路８２の後側から例えば下向きに配置されており、その第２排出案内通路９２の例えば下端部近傍に設けられた第２検出保持手段９４ａに、第２入賞検出手段９４が着脱自在に装着されている。第２入賞検出手段９４は、遊技球が１個通過可能な検出孔を一端側に備えた貫通型の近接スイッチにより構成されており、第２検出保持手段９４ａによって前後方向の後端側が保持されている。なお、第２入賞検出手段９４の前端側は、着脱ホルダ部材８０によって保持されるようになっている。
【００５２】
第１排出案内通路９１は、図８，図９等に示すように第１入賞案内通路８１の後側から左右方向の一方側、例えば右側に屈曲して第２排出案内通路９２の一側、例えば右側に沿って下向きに配置されており、その第１排出案内通路９１の例えば下端部近傍に設けられた第１検出保持手段９３ａに、第１入賞検出手段９３が着脱自在に装着されている。第１入賞検出手段９３は、第２入賞検出手段９４と同じ貫通型の近接スイッチにより構成されており、第１検出保持手段９３ａによって例えば長手方向を左右に向けた状態で保持されている。
【００５３】
開閉駆動手段９０は、例えば電磁ソレノイドにより構成され、可動鉄心９０ａを例えば下側に向けた状態で駆動収容手段９５内に収容されており、ＯＮ状態のときに可動鉄心９０ａが上向きに移動するようになっている。可動鉄心９０ａには、開閉連動部材９７の一端側が着脱自在に固定されており、この開閉連動部材９７の他端側が、開閉部材６１の駆動受け部６１ｂに係合している。これにより、開閉駆動手段９０がＯＦＦ状態からＯＮ状態に切り替わったとき、可動鉄心９０ａと共に開閉連動部材９７が上昇し、開閉部材６１が前向きに揺動して第２始動入賞口７５を開放する。
【００５４】
電波センサ保持手段９６ａは、第１排出案内通路９１の一側、例えば右側で第１入賞検出手段９３の上側近傍に配置されており、電波センサ９６を例えば長手方向を上下に向けた状態で保持するようになっている。
【００５５】
以上のような後装着体７２は、例えば前装着体７１が遊技盤１２の前側に装着された後で遊技盤１２の後側から装着される。後装着体７２を装着する際には、後位置決め部８３ａ〜８３ｃを夫々前装着体７１側の前位置決め部７７ａ〜７７ｃに後側から嵌合させつつ、装着孔挿入部７９等を装着孔４２ａの第１装着部６３に後側から挿入し、後部ケース７８の前面を遊技盤１２の背面に当接させる。このとき、後装着体７２側の開閉部材６１が前装着体７１側の第２始動入賞口７５に後側から嵌め込まれ、第２始動入賞口７５は開閉部材６１により開閉可能な状態となる。そして、その状態で後装着体７２をネジ止め等により遊技盤１２に固定する。
【００５６】
後装着体７２が遊技盤１２に装着されたとき、始動入賞ユニット４２の最下部に配置された磁気センサ８４は、図９，図１０等に示すように、アウト口部材３６の上側近傍で装着孔４２ａ内に収容されると共にその前縁側が前面部材７３の背面に当接又は近接した状態となる。これにより、ガラス板２１の前側からアウト口３７付近に磁石が近づいた場合に確実にその磁気を検知することが可能であり、ガラス板２１の前側からアウト口付近に磁石を近づけて行う不正行為を効果的に防止することが可能である。
【００５７】
続いて、図１１〜図１７等を参照しつつ磁気センサ８４の構成について詳述する。磁気センサ８４は、磁気センサ基板（回路基板）１０１と、この磁気センサ基板１０１を収容するケース体１０２とを備えている。磁気センサ基板１０１は、図１２等に示すように、ベース基板１０３と、このベース基板１０３の第１面１０３ａ側に装着された一又は複数、例えば二つのリードスイッチ（所定電子部品）１０４，１０４と、同じくベース基板１０３の第１面１０３ａ側に装着されたコネクタ（電子部品）８８とを備えている。
【００５８】
ベース基板１０３は、例えば細長略矩形状のリードスイッチ配置部１０５と、このリードスイッチ配置部１０５の長手方向一端側から直角に突出する略矩形状のコネクタ配置部１０６とを一体に備えた略Ｌ字型に形成されている。そして、リードスイッチ配置部１０５の長手方向に沿って二つのリードスイッチ１０４，１０４が例えば所定間隔を空けて一列状に配置され、またコネクタ配置部１０６には、コネクタ８８がその接続部８８ａを例えばベース基板１０３の板面に沿ってコネクタ配置部１０６の突出側（リードスイッチ配置部１０５とは反対側）に向けた状態で装着されている。
【００５９】
リードスイッチ１０４は、図１５等に示すように一対の磁性体リード１０７，１０７の端部１０７ａ，１０７ａ同士を所定の隙間を挟んで対向させ、不活性ガスと共にガラス管（封入部）１０８内に封入したもので、軸方向に外部から磁界が加わると磁性体リード１０７が磁化され、それによって端部１０７ａ，１０７ａが互いに引き合って接点が閉じ、磁界が消去されれば磁性体リード１０７の弾性によって接点が開くようになっている。
【００６０】
また、ベース基板１０３のリードスイッチ配置部１０５には、図１２，図１５〜図１７等に示すように、各リードスイッチ１０４，１０４のガラス管１０８の配置位置に対応してガラス管収容部（収容部）１０９が形成されている。このガラス管収容部１０９は例えば板厚方向の貫通孔で、ガラス管１０８に対応して例えば細長矩形状に形成されており、その縦横の寸法はガラス管１０８よりも若干大きくなっている。
【００６１】
リードスイッチ１０４は、図１５等に示すように、磁性体リード１０７，１０７をガラス管収容部１０９の長手方向両側で第１面１０３ａに沿わせ、ガラス管１０８の略半分をガラス管収容部１０９内に挿入した状態で、磁性体リード１０７，１０７を半田付けすることにより第１面１０３ａに固定されている。これにより、ガラス管収容部１０９を設けない場合と比べて、磁気センサ基板１０１の板厚方向の最大寸法（コネクタ８８を除く）をガラス管１０８の略半径分小さくできる。
【００６２】
ケース体１０２は、図１２等に示すように、磁気センサ基板１０１の両面側から互いに嵌め合わせ可能な甲ケース部材１１１と乙ケース部材１１２とを備えている。甲ケース部材１１１は、ベース基板１０３の一面側、例えば第１面１０３ａに対向する第１対向壁１１３と、ベース基板１０３の外周に沿って配置される周壁１１４とを一体に備えている。
【００６３】
第１対向壁１１３は、磁気センサ基板１０１に対応する略Ｌ字型に形成されており、突出部８４ａに対応する位置に、磁気センサ基板１０１側のコネクタ８８を外部に露出させるためのコネクタ孔１１５が形成されている。周壁１１４は、図１６等に示すように、例えばリードスイッチ配置部１０５における長手方向両端側の端縁１１６ａ，１１６ｂに沿う端部周壁１１４ａ，１１４ｂについては端縁１１６ａ，１１６ｂに当接又は近接するように配置され、リードスイッチ配置部１０５の短手方向両端側の側縁１１６ｃ，１１６ｄに沿う側部周壁１１４ｃ，１１４ｄについては側縁１１６ｃ，１１６ｄとの間に一定の隙間を空けて配置されている。
【００６４】
また甲ケース部材１１１内には、図１２等に示すように、磁気センサ基板１０１を支持する基板支持手段として、磁気センサ基板１０１の側縁１１６ｃ，１１６ｄに対応して配置される縁部支持手段１１７と、ガラス管収容部１０９に対応して配置される収容部支持手段１１８とが設けられている。
【００６５】
縁部支持手段１１７は、図１２，図１６，図１７等に示すように、例えば磁気センサ基板１０１の側縁１１６ｃ，１１６ｄに沿って夫々一又は複数配置されており、例えば第１対向壁１１３と周壁１１４との角部で両壁１１３，１１４に垂直に起立するリブ状に形成されると共に、磁気センサ基板１０１の側縁１１６ｃ，１１６ｄが係合する切欠部１１９を備えている。なお、複数の縁部支持手段１１７のうちの少なくとも一つ、例えば一対の中間縁部支持手段（第３支持手段）１１７ａ，１１７ａは、図１６に示すように、各リードスイッチ１０４，１０４間、即ちリードスイッチ配置部１０５の長手方向略中央に対応する位置で磁気センサ基板１０１の側縁１１６ｃ，１１６ｄを支持している。
【００６６】
また、収容部支持手段（第１支持手段）１１８は、第１対向壁１１３の内面側に突出する突起状に形成され、図１６，図１７等に示すように各リードスイッチ１０４のガラス管１０８に対応してそれらの両側に配置されており、その先端部がガラス管収容部１０９の外側でベース基板１０３の第１面１０３ａに略当接している。
【００６７】
甲ケース部材１１１内に嵌め込まれた磁気センサ基板１０１は、図１７に示すように、縁部支持手段１１７及び収容部支持手段１１８によって、第１面１０３ａと第１対向壁１１３との隙間が略一定となり、縁部支持手段１１７によって側縁１１６ｃ，１１６ｄと側部周壁１１４ｃ，１１４ｄとの隙間が略一定となるように支持される。
【００６８】
また、甲ケース部材１１１の例えば側部周壁１１４ｃ，１１４ｄには、図１１〜図１４等に示すように、例えば第１対向壁１１３側の縁部近傍に、乙ケース部材１１２側の係合部１２１が係脱自在に係合可能な例えば貫通孔よりなる被係合部１２２が夫々一又は複数設けられている。
【００６９】
なお、甲ケース部材１１１では、コネクタ８８の接続部８８ａに対応する角部が斜めにカットされて傾斜面１２３が形成されており、コネクタ孔１１５は第１対向壁１１３からこの傾斜面１２３に跨がって設けられている。また、甲ケース部材１１１では、コネクタ８８側とは反対側の側面、即ち側部周壁１１４ｄにおける長手方向両端側の角部に傾斜切欠部１２４が設けられている。
【００７０】
なお本実施形態では、磁気センサ８４の前向き移動を規制する前規制部８９ａは、図１０に示すように傾斜切欠部１２４に対応する断面三角形状に形成され、一対の磁気センサ支持部８５の内面側に一体に突設されている。
【００７１】
乙ケース部材１１２は、図１２等に示すように、ベース基板１０３の一面側、例えば第１面１０３ａとは反対側の第２面１０３ｂに対向する第２対向壁１２５と、甲ケース部材１１１側の被係合部１２２に対応する係合部１２１とを一体に備えている。
【００７２】
第２対向壁１２５は、甲ケース部材１１１側の周壁１１４の内側に嵌まる略Ｌ字型に形成されている。この第２対向壁１２５には、ベース基板１０３の第２面１０３ｂに対向する内面側に、外縁に沿って配置される外周突条部１２６の他、磁気センサ基板１０１をその長手方向略中央で支持する中間裏面支持手段１２７、磁気センサ基板１０１をガラス管収容部１０９の近傍で支持する収容部裏面支持手段１２８が、何れも一定高さの突起状に形成されている。
【００７３】
中間裏面支持手段（第３支持手段）１２７は、中間縁部支持手段１１７ａ，１１７ａに対応して例えばリードスイッチ１０４，１０４間を横切る直線状に配置されており、乙ケース部材１１２が甲ケース部材１１１に装着されたとき、図１５等に示すように先端側縁部がベース基板１０３の第２面１０３ｂに略当接するようになっている。収容部裏面支持手段（第２支持手段）１２８は、収容部支持手段１１８に対応して例えばガラス管収容部１０９の両側に配置されており、乙ケース部材１１２が甲ケース部材１１１に装着されたとき、図１７（ａ），（ｂ）等に示すように先端側がベース基板１０３の第２面１０３ｂに略当接するようになっている。
【００７４】
係合部１２１は、第２対向壁１２５の長手方向の側縁部１２５ａ，１２５ｂに沿って夫々一又は複数、例えば各二つ配置され、第２対向壁１２５から甲ケース部材１１１側の側部周壁１１４ｃ，１１４ｄの内面に沿う細長突起状に形成されており、図１２，図１７（ａ）等に示すように、先端部には甲ケース部材１１１側の被係合部１２２に係脱自在に係合する係合爪１２１ａが設けられている。
【００７５】
なお、外周突条部１２６は、係合部１２１の配置位置ではこの係合部１２１を避けて内側に略コの字型に屈曲しており、図１６，図１７（ａ）等に示すようにその屈曲部１２６ａの一部がベース基板１０３の第２面１０３ｂに略当接するようになっている。また、外周突条部１２６のうち、第２対向壁１２５の長手方向両端部に対応する端部突条部１２６ｂについても、図１５，図１６等に示すようにベース基板１０３の第２面１０３ｂに略当接するようになっている。
【００７６】
乙ケース部材１１２を甲ケース部材１１１に装着する際には、係合部１２１を内向きに弾性変形させつつ側部周壁１１４ｃ，１１４ｄの内面に沿って滑らせることにより、側部周壁１１４ｃ，１１４ｄと磁気センサ基板１０１の側縁１１６ｃ，１１６ｄとの隙間に係合部１２１を挿入する。そして、第２対向壁１２５が甲ケース部材１１１側の周壁１１４の内側に嵌まったとき、図１７（ａ）に示すように各係合部１２１の係合爪１２１ａが甲ケース部材１１１側の被係合部１２２に内側から係合し、乙ケース部材１１２は甲ケース部材１１１に固定された状態となる。このとき、図１５，図１７等に示すように、基板支持手段を構成する中間裏面支持手段１２７、収容部裏面支持手段１２８、外周突条部１２６の屈曲部１２６ａ及び端部突条部１２６ｂがベース基板１０３の第２面１０３ｂに略当接するため、磁気センサ基板１０１はケース体１０２内で移動不能に支持された状態となる。
【００７７】
以上説明したように、本実施形態のパチンコ機では、磁気センサ８４のベース基板１０３に、板厚方向に貫通するガラス管収容部（収容部）１０９を設け、リードスイッチ（所定電子部品）１０４を、そのガラス管１０８の略半分がガラス管収容部１０９内に位置する状態でベース基板１０３の第１面１０３ａ側に装着しているため、ガラス管収容部１０９を設けない場合に比べて磁気センサ基板１０１、ひいては磁気センサ８４を薄型化することができ、限られた部品配置スペースをより有効に活用することが可能である。
【００７８】
また、始動入賞ユニット４２とアウト口部材３６とを、遊技盤１２に板厚方向貫通状に形成された一つの装着孔４２ａに装着し、磁気センサ８４を始動入賞ユニット４２の下部側で且つ前面部材７３の後側近傍の装着孔４２ａ内に配置しているため、アウト口付近に磁石を近づけて行う不正行為を効果的に防止することが可能である。
【００７９】
図１８〜図２３は本発明の第２の実施形態を例示し、第１の実施形態における始動入賞ユニット４２を振り分け式の始動入賞ユニット４２′に変更し、この始動入賞ユニット４２′に磁気センサ８４を搭載した例を示している。なお、始動入賞ユニット４２を始動入賞ユニット４２′に変更した点以外は第１の実施形態と同様である。
【００８０】
図１８〜図２３に示すように、始動入賞ユニット４２′は、アウト口部材３６の上側に近接（又は当接）した状態で配置され、アウト口部材３６と同じ装着孔（装着部）４２ａに装着されており、装着孔４２ａに対して前側から装着される前装着体７１′と、その前装着体７１′に対して後側から装着される後装着体７２′とで構成されている。なお、装着孔４２ａは、図２２に示すように互いに連通する上側の第１装着部６３と下側の第２装着部６４とで構成されており、上側の第１装着部６３に始動入賞ユニット４２′が、下側の第２装着部６４にアウト口部材３６が夫々装着されている。
【００８１】
前装着体７１′は、図２０，図２３等に示すように、遊技盤１２の前面に沿う板状の前面部材７３と、この前面部材７３の前面側に配置された前構造体１３１と、前面部材７３の背面側に配置された後構造体１３２とを備えている。
【００８２】
前面部材７３は、その外縁部を第１装着部６３の外側で遊技盤１２の前面に当接させた状態でネジ止め等により遊技盤１２に着脱自在に固定されている。前面部材７３の背面側には、図１９，図２０に示すように、遊技盤１２側に設けられた複数の位置決め凹部に夫々嵌合する位置決め凸部７０ａが設けられている。
【００８３】
前構造体１３１は、図１８，図２１，図２３に示すように、前面部材７３の前側に所定距離をおいて平行に配置された前カバー部材１３４を備え、その前カバー部材１３４と前面部材７３との間に、入球口１３５と、第１特別図柄始動手段５０を構成する第１始動入賞口１３６と、第２特別図柄始動手段５１を構成する第２始動入賞口１３７と、入球口１３５に入球した遊技球を第１始動入賞口１３６に案内する第１案内通路１３８と、入球口１３５に入球した遊技球を第２始動入賞口１３７に案内する第２案内通路１３９と、入球口１３５に入球した遊技球を第１案内通路１３８と第２案内通路１３９とに振り分ける振り分け部材１４０とを備えている。
【００８４】
第１始動入賞口１３６と第２始動入賞口１３７とは前面部材７３の下部側に遊技球１個分以上の隙間を挟んで左右に配置され、夫々上向き開口状に形成されており、入賞した遊技球を後向きに案内する入賞球案内部１３６ａ，１３７ａを備えている。入球口１３５は、前面部材７３の上部側に上向き開口状に設けられ、その下側で例えば左側の第１案内通路１３８と右側の第２案内通路１３９とに分岐している。第１案内通路１３８と第２案内通路１３９とは、それらの下流端側が夫々遊技球１個分以上の隙間を介して第１始動入賞口１３６と第２始動入賞口１３７とに向けて下向きに開口している。
【００８５】
振り分け部材１４０は、前後方向の回転軸１４０ａを介して揺動自在に支持されており、後述する振り分け駆動手段１４１の駆動により、入球口１３５に入球した遊技球を第１案内通路１３８側に案内する第１振り分け姿勢と、第２案内通路１３９側に案内する第２振り分け姿勢とに切り換え可能となっている。
【００８６】
後構造体１３２は、前面部材７３の背面側に後向き突出状に設けられており、図２０，図２３等に示すように、第１始動入賞口１３６に入賞した遊技球を遊技盤１２の後側に案内する第１入賞案内通路１４２と、第２始動入賞口１３７に入賞した遊技球を遊技盤１２の後側に案内する第２入賞案内通路１４３と、振り分け駆動手段１４１と、磁気センサ８４を支持する磁気センサ支持部８５とを備えている。
【００８７】
第１入賞案内通路１４２と第２入賞案内通路１４３とは夫々第１始動入賞口１３６と第２始動入賞口１３７との後側に後ろ下がりの傾斜状に配置されている。振り分け駆動手段１４１は、電磁ソレノイド等により構成され、例えば第１入賞案内通路１４２の上側に配置されており、図２０〜図２３に示すように、前面部材７３の後側に配置された連動部材１４４を介して振り分け部材１４０を揺動駆動可能となっている。
【００８８】
磁気センサ支持部８５は、図１９，図２０，図２２，図２３等に示すように、前面部材７３の下端部、即ち第１，第２入賞案内通路１４２，１４３の下側で左右に配置され、例えば互いに対向する正面視略コの字型のレール状に形成されており、磁気センサ８４の左右両端側の縁部を前後方向摺動可能に支持している。磁気センサ８４は、例えばコネクタ８８が下側後向きとなるように磁気センサ支持部８５の後側から前向きに装着され、その前縁側が前面部材７３の背面に略当接した状態で支持される。
【００８９】
後装着体７２′は、例えば後構造体１３２の後側に着脱自在に装着され、例えば前構造体１３１に対して固定されており、図２０，図２２，図２３等に示すように、第１始動入賞口１３６に入賞した遊技球を遊技盤１２の後側で下向きに排出する第１排出案内通路１４５と、第２始動入賞口１３７に入賞した遊技球を遊技盤１２の後側で下向きに排出する第２排出案内通路１４６と、第１始動入賞口１３６に入賞した遊技球を検出する第１入賞検出手段１４７を保持する第１検出保持手段１４７ａと、第２始動入賞口１３７に入賞した遊技球を検出する第２入賞検出手段１４８を保持する第２検出保持手段１４８ａと、磁気センサ支持部８５からの磁気センサ８４の脱落を阻止するセンサ押さえ部１４９とを備えている。
【００９０】
第１排出案内通路１４５は、第１入賞案内通路１４２の後側から例えば下向きに配置されており、その第１排出案内通路１４５の例えば下端部近傍に設けられた第１検出保持手段１４７ａに第１入賞検出手段１４７が着脱自在に装着されている。また、第２排出案内通路１４６は、第２入賞案内通路１４３の後側から例えば下向きに配置されており、その第２排出案内通路１４６の例えば下端部近傍に設けられた第２検出保持手段１４８ａに第２入賞検出手段１４８が着脱自在に装着されている。
【００９１】
センサ押さえ部１４９は、後装着体７２′の下端部で例えば前向き突出状に設けられており、後装着体７２′を後構造体１３２の後側に装着したとき、例えば磁気センサ８４の後縁側に後側から略当接して、磁気センサ８４の後側への移動を規制するようになっている。
【００９２】
以上のような始動入賞ユニット４２′は、第１の実施形態の始動入賞ユニット４２とは異なり、一体として遊技盤１２の前側から装着孔４２ａに装着されているが、前面部材７３の背面側に設けた磁気センサ支持部８５に磁気センサ８４を後側から装着し、その後側から装着される後装着体７２′に、磁気センサ８４の後側への移動を規制するセンサ押さえ部１４９を設けているため、磁気センサ８４を容易且つ確実に始動入賞ユニット４２′に装着することができる。また、第１の実施形態と同様、始動入賞ユニット４２′とアウト口部材３６とを、遊技盤１２に板厚方向貫通状に形成された一つの装着孔４２ａに装着し、磁気センサ８４を始動入賞ユニット４２′の下部側で且つ前面部材７３の後側近傍の装着孔４２ａ内に配置しているため、アウト口付近に磁石を近づけて行う不正行為を効果的に防止することが可能である。
【００９３】
図２４〜図２８は本発明の第３の実施形態を例示し、第１の実施形態における始動入賞ユニット４２を振り分け式の始動入賞ユニット４２″に変更すると共に、その始動入賞ユニット４２″の下側に、第２大入賞手段（入球手段）１５０を搭載する第２大入賞ユニット（入球装置）１５１を大入賞ユニット４３とは別に配置し、この第２大入賞ユニット１５１に磁気センサ８４を搭載した例を示している。なお、始動入賞ユニット４２″及び第２大入賞ユニット１５１に関する構成以外は第１の実施形態と同様である。
【００９４】
図２５，図２６，図２８等に示すように、第２大入賞ユニット１５１はアウト口部材３６の上側に近接（又は当接）した状態で配置され、更に始動入賞ユニット４２″は第２大入賞ユニット１５１の上側に近接（又は一部当接）した状態で配置されており、これらアウト口部材３６、第２大入賞ユニット１５１及び始動入賞ユニット４２″は一つの装着孔（装着部）４２ａに装着されている。即ち、装着孔４２ａは、図２６に示すように互いに連通する上側の第１装着部６３と下側の第２装着部６４とそれらの中間の第３装着部１５２とで構成されており、第１装着部６３に始動入賞ユニット４２″が、第２装着部６４にアウト口部材３６が、第３装着部１５２に第２大入賞ユニット１５１が夫々装着されている。
【００９５】
始動入賞ユニット４２″は、図２５，図２６に示すように、入球口１５３と、第１特別図柄始動手段５０を構成する第１始動入賞口１５４と、第２特別図柄始動手段５１を構成する第２始動入賞口１５５と、入球口１５３に入球した遊技球を第１始動入賞口１５４側と第２始動入賞口１５５側とに振り分ける振り分け部材１５６と、第１始動入賞口１５４に入賞した遊技球を検出する第１入賞検出手段１５７と、第２始動入賞口１５５に入賞した遊技球を検出する第２入賞検出手段１５８とを備えている。
【００９６】
振り分け部材１５６は、入球口１５３の下側で前後方向の回転軸１５６ａを介して揺動自在に支持されており、通常時は例えば自重等により中立位置に保持され、入球口１５３に入球した遊技球に押されて左右何れかに揺動して、その遊技球を第１始動入賞口１５４側と第２始動入賞口１５５側との何れかに案内するようになっている。第１，第２始動入賞口１５４，１５５の何れかに入賞した遊技球は、遊技盤１２の後側に案内されるが、その際に第１，第２入賞検出手段１５７，１５８によって検出される。
【００９７】
第２大入賞ユニット１５１は、図２５〜図２８に示すように、遊技盤１２の前面に沿う板状の前面部材１６１と、この前面部材１６１の背面側に配置された後装着体１６２とを備えている。前面部材１６１は、その外縁部を第３装着部１５２の外側で遊技盤１２の前面に当接させた状態でネジ止め等により遊技盤１２に着脱自在に固定されており、第２大入賞手段１５０を構成する例えば横長矩形状の第２大入賞口１６３が前向き開口状に形成されている。前面部材１６１の背面側には、図２７に示すように、遊技盤１２側に設けられた複数の位置決め凹部に夫々嵌合する位置決め凸部１６４ａが設けられている。
【００９８】
なお、第２大入賞手段１５０は、開閉部材１６５の作動によって遊技球が入賞可能な開状態と入賞不可能な閉状態とに変化可能な開閉式入賞手段により構成されており、第１，第２特別図柄表示手段４７，４８の何れかの変動後の停止図柄態様が大当たり態様となった場合に、例えば大入賞手段５２と併せて所定の開放パターンに従って開放するようになっている（特別利益状態）。
【００９９】
開閉部材１６５は、図２５，図２８に示すように、第２大入賞口１６３に対応して例えば正面視横長矩形の板状に形成されており、前面部材１６１に対して例えば後側から装着され、下端部側に設けられた左右方向の回転軸廻りに揺動自在に支持されている。
【０１００】
後装着体１６２は、前面部材１６１の背面側に後向き突出状に設けられており、図２６〜図２８に示すように、第２大入賞口１６３の後側に配置される入賞室１６６と、この入賞室１６６内に入賞した遊技球を遊技盤１２の後側に案内する入賞案内通路１６７と、第２大入賞口１６３に入賞した遊技球を検出する入賞検出手段１６８と、開閉部材１６５を開閉駆動する開閉駆動手段１６９を収容・保持する駆動収容手段１７０と、始動入賞ユニット４２″側の第１始動入賞口１５４に入賞した遊技球を案内する第１始動入賞案内部１７１と、同じく第２始動入賞口１５５に入賞した遊技球を案内する第２始動入賞案内部１７２と、磁気センサ８４を支持する磁気センサ支持部１７３とを備えている。
【０１０１】
入賞室１６６は、第２大入賞口１６３の後側に横長箱形に設けられ、例えばその後壁１６３ａの左右方向一端側、例えば左端側には遊技球が通過可能な通過口１７４が形成されると共に、底壁１６３ｂは遊技球を通過口１７４側に案内する傾斜状に形成されている。入賞案内通路１６７は、通過口１７４の後側に配置され、通過口１７４を後向きに通過した遊技球を遊技盤１２の背面に沿って下向きに排出するようになっている。なお、入賞検出手段１６８は、例えば通過口１７４の後側に配置され、通過口１７４を通過した遊技球を検出するようになっている。
【０１０２】
開閉駆動手段１６９は、電磁ソレノイド等により構成され、入賞室１６６の後側で右方向一端側、例えば右端側に配置された駆動収容手段１７０内に、例えば可動鉄心１６９ａを左右方向の例えば右側に向けた状態で収容されている。可動鉄心１６９ａは、開閉連動部材１７５を介して開閉部材１６５と連動しており、開閉駆動手段１６９がＯＦＦ状態からＯＮ状態に切り替わったとき、可動鉄心１６９ａと共に開閉連動部材１７５が移動することにより開閉部材１６５が前向きに揺動して第２大入賞口１６３が開放するようになっている。なお、開閉駆動手段１６９は、図２８に示すように例えば遊技盤１２の背面よりも後側に配置されている。
【０１０３】
第１始動入賞案内部１７１は、図２６，図２７等に示すように例えば入賞案内通路１６７の一側（ここでは右側）に沿って下向きに配置されており、第１始動入賞口１５４に入賞し、遊技盤１２の後側に案内されてきた遊技球を第２大入賞ユニット１５１の下側に案内するようになっている。また、第２始動入賞案内部１７２は、図２６，図２７等に示すように例えば入賞案内通路１６７に対して第１始動入賞案内部１７１とは反対側（個々では左側）に例えば後向きに配置されており、第２始動入賞口１５５に入賞し、遊技盤１２の後側に案内されてきた遊技球を第２大入賞ユニット１５１の後側まで案内して下向きに落下させるようになっている。
【０１０４】
磁気センサ支持部１７３は、例えば正面視横長矩形の枠状で、図２７，図２８等に示すように前面部材１６１の下端部裏側に後向き突出状に形成されており、例えばコネクタ８８が下側後向きとなるように後側から挿入された磁気センサ８４の前縁側を支持するようになっている。また、磁気センサ支持部１７３の後側には、磁気センサ支持部１７３からの磁気センサ８４の脱落を阻止するセンサ押さえ部１７６が一体に形成されている。センサ押さえ部１７６は、図２７，図２８に示すように後向き細長状に形成され、後端側に係合爪１７６ａが一体に設けられており、磁気センサ８４が磁気センサ支持部１７３に後側から装着され、磁気センサ８４の前縁側が前面部材１６１の背面側に略当接したとき、センサ押さえ部１７６の係合爪１７６ａが磁気センサ８４の後縁側に係脱自在に係合して、磁気センサ８４の後向きの移動を規制するようになっている。
【０１０５】
以上のように、磁気センサ８４は、始動入賞ユニットに限らず、アウト口３７の上側近傍に設けたユニットの下部側における前面部材の後側近傍に配置することが望ましい。また本実施形態では、第２大入賞ユニット１５１とアウト口部材３６とを、遊技盤１２に板厚方向貫通状に形成された一つの装着孔４２ａに装着し、磁気センサ８４を第２大入賞ユニット１５１の下部側で且つ前面部材１６１の後側近傍の装着孔４２ａ内に配置しているため、アウト口付近に磁石を近づけて行う不正行為を効果的に防止することが可能である。
【０１０６】
図２９，図３０は本発明の第４の実施形態を例示し、第１の実施形態を一部変更して、ガラス板２１の前側にアウト口３７の前側に対応してアウト口カバー部材（カバー部材）１８１を設けた例を示している。
【０１０７】
図２９，図３０に示すように、本実施形態のパチンコ機では、ガラスユニット１９の下部前側に対応して、ガラス扉１３の前側の化粧カバー１８が上向きに突出しており、この突出部分がアウト口カバー部材１８１を構成している。このアウト口カバー部材１８１は、前側のガラス板２１の前側に所定距離をおいて略平行に配置された前カバー部１８１ａと、この前カバー部１８１ａの縁部から後向きに延設され且つその後縁側がガラス板２１の前面側に当接又は近接する周壁部１８１ｂとで構成されており、正面視においてその後側にアウト口３７全体が隠れる大きさ及び形状に形成されている。
【０１０８】
このようなアウト口カバー部材１８１を設けることにより、ガラス板２１の前側からアウト口３７に磁石を近づけることが困難となり、アウト口付近に磁石を近づけて行う不正行為をより効果的に防止することができる。
【０１０９】
以上、本発明の実施形態について詳述したが、本発明はこれらの実施形態に限定されるものではなく、本発明の趣旨を逸脱しない範囲で種々の変更が可能である。例えば、磁気センサ８４のベース基板１０３に設けたガラス管収容部（収容部）１０９は、ガラス管（封入部）１０８の少なくとも一部を収容できるものであればよく、例えば板厚方向に貫通しない凹入状に形成してもよい。また、例えばベース基板１０３の第１面１０３ａに、ガラス管収容部１０９の両側に対応して溝を形成し、その溝内に磁性体リード１０７，１０７を配置すれば、ガラス管１０８をより深くガラス管収容部１０９内に挿入することができ、磁気センサ８４の更なる薄型化が可能である。
【０１１０】
ガラス管１０８はガラス管収容部１０９の内面に当接してもよい。また、実施形態ではベース基板１０３上に二つのリードスイッチ１０４を一列に配置した例を示したが、三つ以上のリードスイッチ１０４を一列又は複数列に配置してもよい。また、三つ以上のリードスイッチ１０４を一列に配置する場合、第３支持手段１１７，１２７は全てのリードスイッチ１０４間に配置することが望ましい。
【０１１１】
甲ケース部材１１１と乙ケース部材１１２とを互いに固定するための係合部１２１と被係合部１２２とは、磁気センサ基板１０１の側縁１１６ｃ，１１６ｄ側だけでなく端縁１１６ａ，１１６ｂ側にも設けてもよい。
【０１１２】
第１の実施形態の場合、磁気センサ８４を後側から装着可能なセンサ支持部を前装着体７１側に設けてもよい。この場合、センサ支持部からの磁気センサ８４の脱落を阻止するセンサ押さえ部を後装着体７２側に設けてもよい。また第２の実施形態の場合、後装着体７２′側に磁気センサ８４を装着し、後装着体７２′を前装着体７１′に装着したときに磁気センサ８４が前面部材７３の背面に当接又は近接するように構成してもよい。第３の実施形態の場合も同様に、後装着体１６２側に磁気センサ８４を装着し、後装着体１６２を前面部材１６１に装着したときに磁気センサ８４が前面部材１６１の背面に当接又は近接するように構成してもよい。
【０１１３】
後装着体側に磁気センサ８４を前側から装着可能なセンサ支持部を設け、前装着体側に、センサ支持部からの磁気センサ８４の脱落を阻止するセンサ押さえ部を設けてもよい。また、磁気センサ８４をアウト口部材３６の上部側に装着してもよい。
【０１１４】
また、本発明はパチンコ機に限らず、アレンジボール機、雀球遊技機等の他の遊技機においても同様に実施することが可能である。
【符号の説明】
【０１１５】
８８    コネクタ（電子部品）
１０１    磁気センサ基板（回路基板）
１０２    ケース体
１０３    ベース基板
１０３ａ  第１面
１０３ｂ  第２面
１０４    リードスイッチ（所定電子部品）
１０７    磁性体リード
１０７ａ  端部
１０８    ガラス管（封入部）
１０９    ガラス管収容部（収容部）
１１１    甲ケース部材
１１２    乙ケース部材
１１３    第１対向壁
１１４    周壁
１１７    縁部支持手段（基板支持手段、第３支持手段）
１１８    収容部支持手段（基板支持手段、第１支持手段）
１２１    係合部
１２２    被係合部
１２５    第２対向壁
１２７    中間裏面支持手段（基板支持手段、第３支持手段）
１２８    収容部裏面支持手段（基板支持手段、第２支持手段）
【図１】
0005876534.tif 000002
【図２】
0005876534.tif 000003
【図３】
0005876534.tif 000004
【図４】
0005876534.tif 000005
【図５】
0005876534.tif 000006
【図６】
0005876534.tif 000007
【図７】
0005876534.tif 000008
【図８】
0005876534.tif 000009
【図９】
0005876534.tif 000010
【図１０】
0005876534.tif 000011
【図１１】
0005876534.tif 000012
【図１２】
0005876534.tif 000013
【図１３】
0005876534.tif 000014
【図１４】
0005876534.tif 000015
【図１５】
0005876534.tif 000016
【図１６】
0005876534.tif 000017
【図１７】
0005876534.tif 000018
【図１８】
0005876534.tif 000019
【図１９】
0005876534.tif 000020
【図２０】
0005876534.tif 000021
【図２１】
0005876534.tif 000022
【図２２】
0005876534.tif 000023
【図２３】
0005876534.tif 000024
【図２４】
0005876534.tif 000025
【図２５】
0005876534.tif 000026
【図２６】
0005876534.tif 000027
【図２７】
0005876534.tif 000028
【図２８】
0005876534.tif 000029
【図２９】
0005876534.tif 000030
【図３０】
0005876534.tif 000031